(57)【要約】【課題】接合レンズにおける接着剤層の剥離を抑制できる技術を提供する。【解決手段】レンズユニットの広角レンズは、第１接合レンズ素子２０ａ（第６レンズ２６）に対して接着剤層２９を介して第２接合レンズ素子２０ｂ（第５レンズ２５）が接合された接合レンズを含む。第１フランジ部２６４には、第２フランジ部２５４に向かって凸の突出部２６６が形成されている。第２フランジ部２５４の接着剤溜まり部２５６には、突出部２６６の側面２６６ａと対向する対向部２５６ａが形成されている。物体側凸状レンズ面２６３と像側凹状レンズ面２５３との間隔Ｇａ、突出部２６６の側面２６６ａと対向部２５６ａとの間隔Ｇｂは、関係式Ｇｂ＜Ｇａを満たしている。【選択図】図５
2020034675.tif 000002
【特許請求の範囲】
【請求項１】
複数のレンズと、
前記複数のレンズが収容された鏡筒と、
を有し、
前記複数のレンズは、第１接合レンズ素子に対して接着剤層を介して第２接合レンズ素子が接合された接合レンズを含み、
前記第１接合レンズ素子は、前記第２接合レンズ素子の側に向いた凸状レンズ面、および、前記凸状レンズ面を外周側で囲む第１フランジ部を備えたレンズであり、
前記第２接合レンズ素子は、前記第１接合レンズ素子の前記凸状レンズ面に前記接着剤層によって接合された凹状レンズ面、および、前記凹状レンズ面を外周側で囲む第２フランジ部を備えたレンズであり、
前記第１フランジ部および前記第２フランジ部のいずれか一方のフランジ部には、他方側のフランジ部に向かって凸の突出部が形成されており、
前記第１フランジ部および前記第２フランジ部のいずれか他方のフランジ部には、前記突出部の側面と対向する対向部が形成されており、
前記凸状レンズ面と前記凹状レンズ面との間隔をＧａとし、
前記突出部の側面と前記対向部との間隔をＧｂとすると、
Ｇａ、Ｇｂは次の関係式
Ｇｂ＜Ｇａ
を満たしていることを特徴とするレンズユニット。
【請求項２】
前記第１接合レンズ素子および前記第２接合レンズ素子は、プラスチックレンズであり、
前記第１接合レンズ素子および前記第２接合レンズ素子のいずれか一方は鏡筒内周面と接触状態にあって、他方は非接触状態であり
前記突出部の側面と前記対向部との間には前記間隔Ｇｂが存在することを特徴とする請求項１に記載のレンズユニット。
【請求項３】
前記第１フランジ部および前記第２フランジ部のいずれか他方のフランジ部には、一方のフランジ面とは反対側に向け凹んだ接着剤溜まり部が形成されており、
前記接着剤溜まり部の側面が、前記突出部の側面と対向する前記対向部であることを特徴とする請求項１または２に記載のレンズユニット。
【請求項４】
前記接着剤溜まり部は、他方のレンズ面を囲むように周方向に繋がって円環状に形成されていることを特徴とする請求項３に記載のレンズユニット。
【請求項５】
前記突出部は、周方向で離間する複数箇所に形成されていることを特徴とする請求項１から４までのいずれかに記載のレンズユニット。
【請求項６】
前記第１フランジ部および前記第２フランジ部のいずれか一方のフランジ部であって、前記突出部または前記対向部よりも径方向外側には、他方のフランジ部に向かって突出し、前記第１接合レンズ素子と前記第２接合レンズ素子における光軸方向での位置決めを行う位置決め凸部が形成されていることを特徴とする請求項１から５までのいずれかに記載のレンズユニット。
【請求項７】
前記突出部よりも径方向内側である一方側内側面と、前記対向部よりも内側の他方側内側面との間隔をＧｃとし、
前記他方内側面と前記凹状レンズ面との境界部分と、前記内側面と前記凸状レンズ面との境界部分との間隔をＧｄとしたとき、
Ｇａ、Ｇｃ、Ｇｂは次の関係式
Ｇａ＜Ｇｄ＜Ｇｃ
を満たすことを特徴とする請求項１から６までのいずれかに記載のレンズユニット。
【請求項８】
第１接合レンズ素子に対して接着剤層を介して第２接合レンズ素子が接合された接合レンズであって、
前記第１接合レンズ素子は、前記第２接合レンズ素子の側に向いた凸状レンズ面、および、前記凸状レンズ面を外周側で囲む第１フランジ部を備えたレンズであり、
前記第２接合レンズ素子は、前記第１接合レンズ素子の前記凸状レンズ面に前記接着剤層によって接合された凹状レンズ面、および、前記凹状レンズ面を外周側で囲む第２フランジ部を備えたレンズであり、
前記第１フランジ部および前記第２フランジ部のいずれか一方のフランジ部には、他方側のフランジ部に向かって凸の突出部が形成されており、
前記第１フランジ部および前記第２フランジ部のいずれか他方のフランジ部には、前記突出部の側面と対向する対向部が形成されており、
前記凸状レンズ面と前記凹状レンズ面との間隔をＧａとし、
前記突出部の側面と前記対向部との間隔をＧｂとすると、
Ｇａ、Ｇｂは以下の関係式
Ｇｂ＜Ｇａ
を満たしていることを特徴とする接合レンズ。
【発明の詳細な説明】
【技術分野】
【０００１】
本発明は、レンズユニットおよび接合レンズに係り、例えば、接合レンズを含む複数のレンズとそれらを保持する鏡筒とを備えるレンズユニットおよびそのような接合レンズに関する。
【背景技術】
【０００２】
近年、レンズユニット市場では、さらなる高解像度化の要求が高まってきている。高解像度を得るには倍率色収差を補正する必要があるため、レンズユニット内にレンズ同士を接着剤により接合した接合レンズを備えることがある（例えば特許文献１参照）。この接合レンズは、接合面（レンズ面）同士を接着剤によって接合させるが、接着剤層の剥離を抑制するために接合面同士の間に必ずある一定以上の隙間（接着剤層）を設ける必要がある。
【先行技術文献】
【特許文献】
【０００３】
【特許文献１】特開２０１４−１１９７０７号公報
【発明の概要】
【発明が解決しようとする課題】
【０００４】
ところで、上述の接着剤層、すなわち一定以上の隙間によってある一定以上のレンズ同士の芯合わせが難しく、高解像度化に伴う光学性能向上を図る上で、このレンズ同士の芯ズレによってコマ収差を補正しきれず、光学性能向上の妨げとなる懸念があり対策の技術が求められていた。
【０００５】
本発明は、上記の状況に鑑みなされたものであって、接合レンズの接着剤層の剥離を抑制しつつレンズ同士の芯あわせをより精密に行うことができる技術を提供することを目的とする。
【課題を解決するための手段】
【０００６】
本発明のレンズユニットは、複数のレンズと、前記複数のレンズが収容された鏡筒と、を有し、前記複数のレンズは、第１接合レンズ素子に対して接着剤層を介して第２接合レンズ素子が接合された接合レンズを含み、前記第１接合レンズ素子は、前記第２接合レンズ素子の側に向いた凸状レンズ面、および、前記凸状レンズ面を外周側で囲む第１フランジ部を備えたレンズであり、前記第２接合レンズ素子は、前記第１接合レンズ素子の前記凸状レンズ面に前記接着剤層によって接合された凹状レンズ面、および、前記凹状レンズ面を外周側で囲む第２フランジ部を備えたレンズであり、前記第１フランジ部および前記第２フランジ部のいずれか一方のフランジ部には、他方側のフランジ部に向かって凸の突出部が形成されており、前記第１フランジ部および前記第２フランジ部のいずれか他方のフランジ部には、前記突出部の側面と対向する対向部が形成されており、前記凸状レンズ面と前記凹状レンズ面との間隔をＧａとし、前記突出部の側面と前記対向部との間隔をＧｂとすると、Ｇａ、Ｇｂは次の関係式Ｇｂ＜Ｇａを満たしている。接着剤層として間隔Ｇａよりも間隔の狭い間隔Ｇｂがあるため、凸状レンズ面と凹状レンズ面（接合面同士）の間に一定以上の隙間（間隔）を設けることができるとともに、間隔Ｇｂによってレンズ同士の芯合わせを行える。このため、接着剤層の剥離を抑制することができるとともに、レンズ同士の芯合わせをより精密に行うことができる。したがって、接着剤層の剥離による乱反射、曇り、白化、接合レンズの破壊等の問題を抑制できるとともに、精度よくレンズ同士の芯合わせができ、光学性能の向上によるレンズユニットの高解像度化を図ることができる。
【０００７】
前記第１接合レンズ素子および前記第２接合レンズ素子は、プラスチックレンズであり、前記第１接合レンズ素子および前記第２接合レンズ素子のいずれか一方は鏡筒の内周面と接触状態にあって、他方は非接触状態であり、前記突出部の側面と前記対向部との間には隙間が存在してもよい。第１接合レンズ素子および第２接合レンズ素子がプラスチックレンズであり、かつ、第１接合レンズ素子および第２接合レンズ素子のいずれか一方は鏡筒の内周面と接触状態であって、他方は非接触状態であり、環境温度が上昇して各接合レンズがそれぞれ膨張した場合、一方の接合レンズ素子は鏡筒に当接しているため、鏡筒によって膨張が妨げられるため、膨張および歪みが生じる。他方の接合レンズ素子は鏡筒とは非接触状態であるため、鏡筒による妨げなく膨張する。したがって、突出部の側面と対向部が当接状態であると、突出部と対向部とが直接作用し合い、膨張等のずれによって接着剤層が剥離するリスクが高まる。一方で、本発明とすることで、環境温度が上昇した際に第１接合レンズ素子および第２接合レンズ素子がそれぞれ膨張した場合でも、突出部の側面と対向部との間には隙間が存在するので、その隙間が緩衝機能を果たし、上述の膨張のずれによる接着剤層が剥離してしまうことを抑制することができる。
【０００８】
前記第１フランジ部および前記第２フランジ部のいずれか他方のフランジ部には、一方のフランジ面とは反対側に向け凹んだ接着剤溜まり部が形成されており、前記接着剤溜まり部の側面が、前記突出部の側面と対向する前記対向部であってもよい。凹状レンズ面や凸状レンズ面を重ねた際、余剰の接着剤は接着剤溜まり部に溜まるため、接着剤の剥離や気泡が発生しないように十分な量の接着剤を塗布できるとともに、接着剤がレンズの外側に漏出してしまうことを抑制できる。
【０００９】
前記接着剤溜まり部は、他方のレンズ面を囲むように周方向に繋がって円環状に形成されてもよい。一方のレンズを周方向に回転させながらレンズ同士の芯合わせ行うことができる。また、接着剤溜まり部が環状に形成されていることで、接着剤がフランジ側にムラなく広がるため、接着剤層の剥離をより抑制できるとともに、周方向の全体にわたって、レンズの外側に接着剤が漏出してしまうことを抑制できる。
【００１０】
前記突出部は、周方向で離間する複数箇所に形成されてもよい。余剰の接着剤が接着剤溜まり部に収まりきらなかった場合、突出部と突出部の間に余剰の接着剤を溜めることができる。
【００１１】
前記第１フランジ部および前記第２フランジ部のいずれか一方のフランジ部であって、前記突出部または前記対向部よりも径方向外側には、他方のフランジ部に向かって突出し、前記第１接合レンズ素子と前記第２接合レンズ素子における光軸方向での位置決めを行う位置決め凸部が形成されてもよい。位置決め凸部によって、第１接合レンズ素子と第２接合レンズ素子の光軸方向の間隔を高い精度で制御することができる。
【００１２】
前記突出部よりも径方向内側である一方側内側面と、前記対向部よりも内側の他方側内側面との間隔をＧｃとし、前記他方内側面と前記凹状レンズ面との境界部分と、前記内側面と前記凸状レンズ面との境界部分との間隔をＧｄとしたとき、Ｇａ、Ｇｃ、Ｇｂは次の関係式Ｇａ＜Ｇｄ＜Ｇｃを満たしてもよい。一般に、接着剤が硬化する際に収縮するが、このとき間隔（隙間）が広い接着剤溜まり部側に向かって接着剤が引き寄せられやすく（収縮されやすく）、この収縮により接着剤が剥離（途切れる）してしまう虞がある。したかし、上述の関係のように接着剤溜まり部の近傍になるほど間隔（隙間）が広くなることで、接着剤が剥離を抑制でき、剥離に伴う乱反射、曇り、白化、接合レンズの破壊等の問題の発生を抑制できる。
【００１３】
本発明は、第１接合レンズ素子に対して接着剤層を介して第２接合レンズ素子が接合された接合レンズであって、前記第１接合レンズ素子は、前記第２接合レンズ素子の側に向いた凸状レンズ面、および、前記凸状レンズ面を外周側で囲む第１フランジ部を備えたレンズであり、前記第２接合レンズ素子は、前記第１接合レンズ素子の前記凸状レンズ面に前記接着剤層によって接合された凹状レンズ面、および、前記凹状レンズ面を外周側で囲む第２フランジ部を備えたレンズであり、前記第１フランジ部および前記第２フランジ部のいずれか一方のフランジ部には、他方側のフランジ部に向かって凸の突出部が形成されており、前記第１フランジ部および前記第２フランジ部のいずれか他方のフランジ部には、前記突出部の側面と対向する対向部が形成されており、前記凸状レンズ面と前記凹状レンズ面との間隔をＧａとし、前記突出部の側面と前記対向部との間隔をＧｂとすると、Ｇａ、Ｇｂは以下の関係式Ｇｂ＜Ｇａを満たしている。
【発明の効果】
【００１４】
本発明によれば、接合レンズの接着剤層の剥離を抑制しつつレンズ同士の芯あわせをより精密に行うことができる。
【図面の簡単な説明】
【００１５】
【図１】実施形態に係る、レンズユニットを示す図である。
【図２】実施形態に係る、レンズユニットの分解斜視図である。
【図３】実施形態に係る、第５レンズを示す図である。
【図４】実施形態に係る、第６レンズを示す図である。
【図５】実施形態に係る、図１（ｃ）の領域Ｐ１を拡大し示した図である。
【図６】実施形態の変形例１に係る、接合レンズの接合状態を示す図である。
【図７】実施形態の変形例２に係る、接合レンズを示す図である。
【発明を実施するための形態】
【００１６】
以下、発明を実施するための形態（以下、「実施形態」という）を、図面を参照しつつ説明する。
【００１７】
図１は本実施形態に係るレンズユニット１を示しており、図１（ａ）は全体を示す斜視図、図１（ｂ）は平面図、図１（ｃ）は縦断面図である。
【００１８】
レンズユニット１は、車載周辺監視カメラ、監視カメラ、ドアホン等に組み込まれるレンズアッシである。なお、本実施形態における「物体側Ｌ１」および「像側Ｌ２」とは、光軸方向における物体側および像側をいい、「光軸方向」とは光軸Ｌに平行する方向をいう。
【００１９】
（全体構成）
レンズユニット１は、複数のレンズからなる広角レンズ２と、広角レンズ２を収納する鏡筒３とを備える。広角レンズ２は、光軸Ｌに沿って物体側Ｌ１から像側Ｌ２に向かって密着して配置された第１レンズ２１、第２レンズ２２、第３レンズ２３、第４レンズ２４、第５レンズ２５、および第６レンズ２６の６枚のレンズにより構成される。
【００２０】
なお、本実施形態では、第２レンズ２２と第３レンズ２３との間には、光が像側へ進入することを防止する遮光シート３６が密着して配置されている。また、第３レンズ２３と第４レンズ２４（ガラスレンズホルダ４）との間には、絞り３７が密着して配置されている。また、鏡筒３の像側Ｌ２の開口には、第６レンズ２６に対向するように赤外線カットフィルタ３８が取りつけられている。
【００２１】
広角レンズ２を構成するレンズのうち、第１レンズ２１は、最も物体側Ｌ１に配置される。第２レンズ２２は、第１レンズ２１の像側Ｌ２に位置する。第３レンズ２３は、第２レンズ２２の像側Ｌ２に位置する。第４レンズ２４は、第３レンズ２３の像側に位置する。第４レンズ２４は、樹脂製のレンズホルダ４に圧入固定され更に接着剤による補強固定された状態で鏡筒３に配置される。第５レンズ２５は、第４レンズ２４の像側Ｌ２に位置する。第６レンズ２６は、第５レンズ２５の像側Ｌ２に位置する。第５レンズ２５と第６レンズ２６は、接合レンズ２０を構成する。つまり、第６レンズ２６は第１接合レンズ素子２０ａであり、第５レンズ２５は第２接合レンズ素子２０ｂであり、第１接合レンズ素子２０ａ（第６レンズ２６）と第２接合レンズ素子２０ｂ（第５レンズ２５）とが接着剤により固定されて接合レンズ２０を構成している。
【００２２】
第１レンズ２１には、最も物体側に位置する第１レンズ２１の物体側レンズ面が露出している場合でも第１レンズ２１の物体側レンズ面に傷が付きにくくするという観点からガラスレンズが用いられる。第２レンズ２２、第３レンズ２３、第５レンズ２５、および第６レンズ２６には、レンズの加工性および経済性に優れるという点から、プラスチックレンズが用いられる。第４レンズ２４には、温度変化に対する屈折率の変化を抑制できるという観点からガラスレンズが用いられる。
【００２３】
尚、本実施形態におけるレンズユニット１の広角レンズ２は上記６枚のレンズにより構成されているが、レンズの枚数は限定されることはなく、また、レンズの材質についても限定されることない。
【００２４】
鏡筒３は、樹脂製の円筒状の玉枠であり、広角レンズ２を構成する各レンズの外周面に沿いながら、像側に向かって内周面６０が形成されている。内周面６０の像側Ｌ２側には、内周面６０より小径であって第６レンズ２６が配置される第６レンズ収容部６９が形成されている。
【００２５】
内周面６０には、周方向で等間隔に複数の圧入凸部７０が径方向内側に凸状（膨出した形状）となるように形成されている。内周面６０の圧入凸部７０に、広角レンズ２を構成するレンズのうち、第２レンズ２２、第３レンズ２３、レンズホルダ４（第４レンズ２４）、第５レンズ２５が圧入される。すなわち、圧入凸部７０は、第２レンズ２２、第３レンズ２３、レンズホルダ４（第４レンズ２４）、および第５レンズ２５の圧入保持部として機能する。なお、第６レンズ２６は、内周面６０に対して非接触状態で内周面６０内に配置されている。
【００２６】
また、第５レンズ２５における像側Ｌ２の面の周縁に形成された平坦部２５ａが、鏡筒３の像側Ｌ２において周方向内側に延びる環状の配置面３１に載置される。また、第２レンズ２２の物体側Ｌ１の面の周縁が鏡筒３の物体側内周面の端部に設けられたカシメ部３５に係止される。
【００２７】
このことにより、第２レンズ２２、第３レンズ２３、レンズホルダ４（第４レンズ２４）、第５レンズ２５、および第６レンズ２６が、光軸Ｌ方向に位置決めされる。さらに、第１レンズ２１の外周部分にＯリング５が組み込まれた後、Ｏリング５が組み込まれた第１レンズ２１が、環状の溝部３４に組み込まれる。その後、第１レンズ２１の周縁が鏡筒３の物体側端部に設けられたカシメ部３３に係止される。この工程によって、第１レンズ２１が光軸Ｌ方向に位置決めされる。
【００２８】
ここでは、第２レンズ２２、第３レンズ２３、レンズホルダ４（第４レンズ２４）、第５レンズ２５、および第６レンズ２６の挿入順の間違い防止の観点から、像側Ｌ２のレンズほど外径が小さく、かつそれられに対応して内周面６０が狭く形成されている。また、第２レンズ２２、第３レンズ２３、レンズホルダ４（第４レンズ２４）、第５レンズ２５、および第６レンズ２６の図１（ｃ）で右側領域や図２で上側部分にはそれぞれ、Ｄカット部２２ｘ、２３ｘ、４ｘ、２５ｘ、２６ｘが形成されている。
【００２９】
（接合レンズの構成）
つづいて、図３〜５を参照して接合レンズ２０の構造、すなわち、第５レンズ２５（第２接合レンズ素子２０ｂ）と第６レンズ２６（第１接合レンズ素子２０ａ）の構造について説明する。
【００３０】
図３は第５レンズ２５（第２接合レンズ素子２０ｂ）を示す図であって、図３（ａ）は底面図すなわち像側Ｌ２の面（像側面２５２）を示し、図３（ｂ）はＸ１−Ｘ１断面を示す。
【００３１】
第５レンズ２５において、物体側Ｌ１のレンズ面が凹状の物体側凹状レンズ面２５５であり、像側Ｌ２のレンズ面が凹状の像側凹状レンズ面２５３である。像側凹状レンズ面２５３と物体側凹状レンズ面２５５の外周側には、それらを囲むように第２フランジ部２５４が一体に形成されている。なお、像側凹状レンズ面２５３は、後述の第６レンズ２６の物体側凸状レンズ面２６３と接合する凹状レンズ面である。
【００３２】
第２フランジ部２５４の像側面２５２には、接着剤溜まり部２５６と、接着剤溜まり部２５６より外側の当接面２５７と、接着剤溜まり部２５６よりも内側の内側面２５８と、内側面２５８と像側凹状レンズ面２５３との境界部分である凸部２５９が形成されている。本実施形態において接着剤溜まり部２５６は、円環状からなる凹状形状である。
【００３３】
接着剤溜まり部２５６は、例えば、０．４ｍｍ程度凹んでおり、後述の突出部２６６が嵌まる。接着剤溜まり部２５６は凹状形状に限らず、突出部２６６が嵌まった状態で、接着剤を溜めるための一定の空間が形成される形状であればよく、例えば、物体側Ｌ１に段状に下がった形状であってもよい。
【００３４】
なお、当接面２５７より外側の領域には、当接面２５７よりわずかに物体側Ｌ１に下がった平坦部２５ａが形成され、図１（３）に示すように接合状態において、鏡筒３の配置面３１に当接する。また、その領域には、第５レンズ２５を成形する際に金型から取り出すための押し出しピンを当てる円形のピン当て部２５２ａが複数形成されている。
【００３５】
図４は第６レンズ２６（第１接合レンズ素子２０ａ）を示す図であって、図４（ａ）は平面図すなわち物体側Ｌ１の面（物体側面２６１）を示し、図４（ｂ）はＸ２−Ｘ２断面を示す。
【００３６】
第６レンズ２６において、物体側Ｌ１のレンズ面が凸状の物体側凸状レンズ面２６３であり、像側Ｌ２のレンズ面が凸状の像側凸状レンズ面２６５である。像側凸状レンズ面２６５と物体側凸状レンズ面２６３の外周側には、それらを囲むように第１フランジ部２６４が一体に形成されている。なお、物体側凸状レンズ面２６３は、第５レンズ２５の像側凹状レンズ面２５３と接合する凸状レンズ面である。
【００３７】
第１フランジ部２６４の物体側面２６１には、第５レンズ２５と第６レンズ２６の光軸Ｌ方向での位置決めを行う位置決め部が形成されている。位置決め部は、１２０度間隔で弧状の位置決め凸部２６７が僅かに物体側Ｌ１側に突出した平面として形成されている。さらに、位置決め凸部２６７には所定長だけ突出した円弧状の突出部２６６が形成されている。また、第１フランジ部２６４の物体側面２６１には、位置決め凸部２６７よりも内側に内側面２６８と、内側面２６８と物体側凸状レンズ面２６３との境界部分である凹部２６９が形成されている。本実施形態において、位置決め凸部２６７は、等間隔に３箇所形成されている。同様に、本実施形態において突出部２６６も３箇所形成されている。
【００３８】
突出部２６６は、断面略台形の形状を呈しており、例えば、０．２ｍｍ程度突出している。なお、突出部２６６は、第５レンズ２５と第６レンズ２６とが接合状態となったときに、第５レンズ２５の接着剤溜まり部２５６に挿入される。
【００３９】
図５を参照して、第５レンズ２５と第６レンズ２６との接合状態について説明する。図５は、図１（ｃ）の領域Ｐ１を拡大して示している。
【００４０】
第５レンズ２５（すなわち第２接合レンズ素子２０ｂ）の像側凹状レンズ面２５３と第６レンズ２６（第１接合レンズ素子２０ａ）の物体側凸状レンズ面２６３との間には、一定以上の間隔Ｇａ（隙間）を有しており、その間隔Ｇａに介在する接着剤層２９である接着剤によって接合されている。間隔Ｇａにおける接着剤層２９の厚さは、例えば５μｍから２０μｍ程度である。なお、間隔Ｇａは、像側凹状レンズ面２５３と物体側凸状レンズ面２６３とが対向する方向である対向方向の間隔である。接着剤は、例えばＵＶ硬化型接着剤であり、硬化後も弾性を有する材質であることが好ましい。
【００４１】
接着剤層２９は、物体側凸状レンズ面２６３と像側凹状レンズ面２５３との接合部分（間隔Ｇａ）、および、それらより径方向外側の接着剤溜まり部２５６の位置まで形成されている。つまり、接着剤層２９は、物体側凸状レンズ面２６３と像側凹状レンズ面２５３が相対して接合しているレンズ面接合領域、接着剤溜まり部２５６に突出部２６６が嵌まっている嵌合領域、及びレンズ面接合領域と嵌合領域との中間領域（第５レンズ２５の内側面２５８と第６レンズ２６の内側面２６８とが対向している領域）に形成されている。なお、接着剤溜まり部２５６は余剰の接着剤が溜まる空間であるので、その空間は接着剤で全て埋まらず、空気が含まれてもよい。
【００４２】
第５レンズ２５の当接面２５７は、第６レンズ２６の位置決め凸部２６７に当接し、第５レンズ２５と第６レンズ２６の光軸Ｌ方向での位置決めがなされる。また、当接面２５７および位置決め凸部２６７は、光軸Ｌに対して垂直な平坦面である。したがって、第５レンズ２５と第６レンズ２６の光軸方向での位置精度、特に物体側凸状レンズ面２６３の中心部分と像側凹状レンズ面２５３の中心部分における光軸方向の間隔を高い精度で制御することができる。
【００４３】
凹状である接着剤溜まり部２５６の側面は傾斜面となっている。すなわち、当接面２５７から内側へ向かう面は、傾斜面であって、突出部２６６の外側の側面２６６ａと対向する対向部２５６ａとなっている。突出部２６６の外側の側面２６６ａと、対向部２５６ａとの間には、一定以上の間隔Ｇｂ（隙間）を有している。間隔Ｇｂにおける隙間は、例えば１μｍから５μｍ程度である。なお、間隔Ｇｂは、側面２６６ａと対向部２５６ａとが対向する方向である対向方向の間隔である。
【００４４】
また、突出部２６６よりも径方向内側である内側面２５８（一方側内側面）と、対向部２５６ａである接着剤溜まり部２５６よりも内側の内側面２６８（他方側内側面）との間には、一定以上の間隔Ｇｃ（隙間）を有している。なお、間隔Ｇｃにおける隙間（接着剤層の厚さ）は、例えば３０μｍから５０μｍ程度である。なお、間隔Ｇｃは、内側面２５８と内側面２６８が対向する方向である対向方向（本実施形態では光軸方向）における間隔である。
【００４５】
また、内側面２５８と像側凹状レンズ面２５３との境界部分である凸部２５９と、内側面２６８と物体側凸状レンズ面２６３との境界部分である凹部２６９との間には、一定以上の間隔Ｇｄ（隙間）を有している。凸部２５９の先端は凸曲面であり、凹部２６９の底部は凹曲面である。なお、間隔Ｇｄにおける隙間（接着剤層の厚さ）は、例えば１０μｍから３０μｍ程度である。なお、間隔Ｇｄは、像側凹状レンズ面２５３と物体側凸状レンズ面２６３との接合面におけるレンズとしての有効径よりも径方向外側から間隔Ｇｃの位置（内側面２５８と内側面２６８の対向部分よりも径方向内側）までの間隔のことであり、徐々に間隔が広くなる構成となっている。
【００４６】
ここで、間隔Ｇａと間隔Ｇｂは、関係式Ｇｂ＜Ｇａを満たしている。また、間隔Ｇａ、Ｇｃ、Ｇｄは、関係式Ｇａ＜Ｇｄ＜Ｇｃを満たしている。これによって、後述する接合工程、特に接着剤の硬化工程において、接着剤の硬化に伴う収縮作用によって接着剤層２９（接着剤）に剥離が生じることを抑制できる。
【００４７】
関係式Ｇｂ＜Ｇａにより、間隔Ｇｂの方が間隔Ｇａよりも狭いため、物体側凸状レンズ面２６３と像側凹状レンズ面２５３が当接することなく、突出部２６６の外側の側面２６６ａと対向部２５６ａによってレンズ同士の芯合わせを行える。
【００４８】
なお、間隔Ｇｂにも隙間を備えているため、レンズ同士の芯合わせによって突出部２６６の外側の側面２６６ａの一部と、対向部２５６ａの一部が当接することはあるが、突出部２６６の外側の側面２６６ａの全周と、対向部２５６ａの全周が当接することはない。
【００４９】
また、上述の通り、第５レンズ２５および第６レンズ２６は、プラスチックレンズであり、樹脂製の鏡筒３の内周面６０に第５レンズ２５は圧入され、第６レンズ２６は内周面６０に対して非接触状態で内周面６０内に配置されている。
【００５０】
（接合レンズの接合行程）
本実施形態において、第５レンズ２５と第６レンズ２６とを接合するまでの一連の接合行程では、例えば、第５レンズ２５の像側凹状レンズ面２５３の側に接着剤を塗布する塗布行程を行う。次に第５レンズ２５に第６レンズ２６を重ねる重ね行程を行い、その結果、第５レンズ２５と第６レンズ２６との間で接着剤が広がる。このとき、突出部２６６は、接着剤溜まり部２５６に挿入される。その後、ＵＶ照射にて接着剤を硬化させる硬化行程を行い、第５レンズ２５と第６レンズ２６が接着剤によって接合される。
【００５１】
上述の重ね工程において、第５レンズ２５と第６レンズ２６との間で接着剤が広がる際、接着剤は、第５レンズ２５と第６レンズ２６との間から外側に流出しようとするが、接着剤は接着剤溜まり部２５６に溜まる。従って、接着剤が第５レンズ２５と第６レンズ２６との間から外側に流出することを抑制できる。なお、本実施形態では、３つの突出部２６６が接着剤溜まり部２５６に挿入された状態となるため、隣り合う突出部２６６の間の領域に接着剤が存在することになる。すなわち、仮に余剰の接着剤が接着剤溜まり部２５６に収まりきらなかった場合でも、突出部２６６と突出部２６６の間に余剰の接着剤を溜めることができる。また、接着剤の硬化工程において、接着剤が収縮するが、このとき、間隔（隙間）が広い接着剤溜まり部２５６側に向かって接着剤が引き寄せられやすく（収縮されやすく）、この収縮により接着剤が剥離（途切れる）してしまう虞がある。しかし、接着剤溜まり部２５６の近傍になるほど間隔（隙間）を広くすることで、接着剤が剥離してしまうことを抑制でき、乱反射、曇り、白化、接合レンズの破壊等の問題の発生を抑制できる。
【００５２】
また、上述の重ね工程の後、第５レンズ２５に重ねられた第６レンズ２６を周方向に回転させてレンズ同士の芯合わせを行う芯合わせ行程を行ってもよい。
【００５３】
以上の実施形態の簡単に纏めると次の通りである。
レンズユニット１は、複数のレンズで構成された広角レンズ２と、広角レンズ２が収容された鏡筒３と、を有する。広角レンズ２は、第１接合レンズ素子２０ａ（第６レンズ２６）に対して接着剤層２９を介して第２接合レンズ素子２０ｂ（第５レンズ２５）が接合された接合レンズ２０を含む。
第１接合レンズ素子２０ａ（第６レンズ２６）は、第２接合レンズ素子２０ｂ（第５レンズ２５）の側に向いた物体側凸状レンズ面２６３、および、物体側凸状レンズ面２６３を外周側で囲む第１フランジ部２６４を備えたレンズである。
第２接合レンズ素子２０ｂ（第５レンズ２５）は、第１接合レンズ素子２０ａ（第６レンズ２６）の物体側凸状レンズ面２６３に接着剤層２９によって接合された像側凹状レンズ面２５３、および、像側凹状レンズ面２５３を外周側で囲む第２フランジ部２５４を備えたレンズである。
第１フランジ部２６４および第２フランジ部２５４のいずれか一方のフランジ部には、他方側のフランジ部に向かって凸の突出部（ここでは、第１フランジ部２６４の突出部２６６）が形成されている。また、第１フランジ部２６４および第２フランジ部２５４のいずれか他方のフランジ部（ここでは第２フランジ部２５４）には、突出部２６６の側面２６６ａと対向する対向部２５６ａが形成されている。
物体側凸状レンズ面２６３と像側凹状レンズ面２５３との間隔をＧａとし、前記突出部の側面と前記対向部との間隔をＧｂとすると、Ｇａ、Ｇｂは以下の関係式
Ｇｂ＜Ｇａ
を満たしている。
間隔Ｇａ（接着剤層２９）よりも間隔の狭い間隔Ｇｂがあるため、物体側凸状レンズ面２６３と像側凹状レンズ面２５３（すなわち接合面同士）の間に一定以上の隙間を設けつつ間隔Ｇｂを使ってレンズ同士の芯合わせを行える。その結果、間隔Ｇａにおける接着剤層２９の剥離を抑制することができるとともに、レンズ同士の芯合わせをより精密に行うことができる。したがって、間隔Ｇａにおける接着剤層２９の剥離による乱反射、曇り、白化、接合レンズの破壊等の問題を抑制できるとともに、精度よくレンズ同士の芯合わせを行えるため、特にコマ収差を良好に補正することができ、光学性能の向上によるレンズユニット１の高解像度化を図ることが出来る。
【００５４】
第１接合レンズ素子２０ａ（第６レンズ２６）および第２接合レンズ素子２０ｂ（第５レンズ２５）は、プラスチックレンズである。また、第１接合レンズ素子２０ａ（第６レンズ２６）および第２接合レンズ素子２０ｂ（第５レンズ２５）のいずれか一方は鏡筒３の内周面６０と接触状態にあって、他方は非接触状態である。また、突出部２６６の側面２６６ａと対向部２５６ａとの間には隙間（間隔Ｇｂ）が存在する。
【００５５】
第１接合レンズ素子２０ａ（第６レンズ２６）および第２接合レンズ素子２０ｂ（第５レンズ２５）がプラスチックレンズであり、かつ、第１接合レンズ素子２０ａ（第６レンズ２６）および第２接合レンズ素子２０ｂ（第５レンズ２５）のいずれか一方は鏡筒３の内周面６０と接触状態にあって、他方は非接触状態であり、環境温度が上昇して各接合レンズがそれぞれ膨張した場合、一方の接合レンズ素子（ここでは第２接合レンズ素子２０ｂ（第５レンズ２５））は鏡筒３の内周面６０に当接しているため、鏡筒３によって膨張が妨げられるため、膨張および歪みが生じる。他方の接合レンズ素子（ここでは第１接合レンズ素子２０ａ（第６レンズ２６））は鏡筒３とは非接触状態であるため、鏡筒３による妨げなく膨張する。したがって、突出部２６６の側面２６６ａと対向部２５６ａが当接状態であると、この膨張のずれによって接着剤層が剥離するリスクが高まる。一方で、上述の構成としたことで、環境温度が上昇した際に第１接合レンズ素子２０ａ（第６レンズ２６）および第２接合レンズ素子２０ｂ（第５レンズ２５）がそれぞれ膨張した場合でも、突出部２６６の側面２６６ａと対向部２５６ａとの間には隙間（間隔Ｇｂ）が存在するので、上述の膨張のずれによる接着剤層が剥離してしまうことを抑制することができる。
【００５６】
第１フランジ部２６４および第２フランジ部２５４のいずれか他方のフランジ部には、ここでは、第２フランジ部２５４には、フランジ面とは反対側に向け凹んだ接着剤溜まり部２５６が形成されている。接着剤溜まり部２５６の外側側面が、突出部２６６の側面２６６ａと対向する対向部２５６ａとなっている。接合構造となる凹状レンズ面や凸状レンズ面（すなわち第６レンズ２６の物体側凸状レンズ面２６３と第５レンズ２５の像側凹状レンズ面２５３）を重ねた際、余剰の接着剤は接着剤溜まり部２５６に溜まる。このため、接着剤の剥離や気泡が発生しないように十分な量の接着剤を塗布できるとともに、接着剤がレンズの外側に漏出してしまうことを抑制できる。
【００５７】
接着剤溜まり部２５６は、他方のレンズ面を囲むように周方向に繋がって円環状に形成されている。したがって、一方のレンズ（実際には接合面が凸状レンズ面である第６レンズ２６）を周方向に回転させながらレンズ同士の芯合わせ行うことができる。また、接着剤溜まり部２５６が円環状に形成されていることで、接着剤がフランジ側（第１フランジ部２６４側、第２フランジ部２５４側）にムラなく広がるため、接着剤層２９の剥離をより抑制できる。また、周方向の全体にわたって、レンズ外側に接着剤が漏出してしまうことを抑制できる。
【００５８】
突出部２６６は、周方向で離間する複数箇所、例えば等間隔で３箇所に形成されている。余剰の接着剤が接着剤溜まり部２５６に収まりきらなかった場合、突出部２６６と突出部の間に余剰の接着剤を溜めることができる。
【００５９】
第１フランジ部２６４および第２フランジ部２５４のいずれか一方のフランジ部であって、突出部２６６または対向部２５６ａよりも径方向外側には、他方のフランジ部に向かって突出し、第１接合レンズ素子２０ａと第２接合レンズ素子２０ｂにおける光軸方向での位置決めを行う位置決め凸部２５７が形成されている。位置決め凸部２５７に接着剤が被ることがないので、位置決め凸部２５７によって、第１接合レンズ素子２０ａと第２接合レンズ素子２０ｂの光軸方向の間隔を高い精度で制御することができる。
【００６０】
前記突出部よりも径方向内側である一方側内側面と、前記対向部よりも内側の他方側内側面との間隔をＧｃとし、前記他方内側面と前記凹状レンズ面との境界部分と、前記内側面と前記凸状レンズ面との境界部分との間隔をＧｄとしたとき、Ｇａ、Ｇｃ、Ｇｄは次の関係式Ｇａ＜Ｇｄ＜Ｇｃを満たしてもよい。接着剤は硬化する際に収縮するため、間隔（隙間）が広い接着剤溜まり部２５６側に向かって接着剤が引き寄せられやすく（収縮されやすく）、この収縮により接着剤が剥離（途切れる）してしまう虞がある。したがって、上述の関係のように接着剤溜まり部２５６の近傍になるに従って徐々に間隔（隙間）を広くすることで、接着剤が剥離してしまうことを抑制でき、乱反射、曇り、白化、接合レンズの破壊等の問題の発生を抑制できる。
【００６１】
以上、本発明を、実施の形態をもとに説明したが、この実施の形態は例示であり、それらの各構成要素の組み合わせ等にいろいろな変形例が可能なこと、またそうした変形例も本発明の範囲にあることは当業者に理解されるところである。
【００６２】
図６は変形例１の第５レンズ２５と第６レンズ２６との接合状態について説明するものであり、図５に対応する。図示のように、第６レンズ２６の突出部２６６Ｘが、図５の例と比較して、中心側（光軸Ｌ側）に寄っている。すなわち、接着剤溜まり部２５６Ｘの内側面２５８から外側に向かう斜面が対向部２５６ａ１となり、この対向部２５６ａ１が、突出部２６６Ｘにおいて内側面２６８から斜め外側（図示では左斜め上）に向かう側面２６６ａ１に対向している。この斜面２６６ａ１と対向部２５６ａ１の隙間が間隔Ｇｂとなる。この場合でも、間隔Ｇａと間隔Ｇｂは、関係式Ｇｂ＜Ｇａを満たしている。また、間隔Ｇａ、Ｇｃ、Ｇｄは、関係式Ｇａ＜Ｇｄ＜Ｇｃを満たしている。その結果、上述の実施形態と同様の効果が得られる。
【００６３】
図７は変形例２に係る接合レンズ３２０を示した図であり、図７（ａ）は縦断面図、図７（ｂ）は図７（ａ）の領域Ｐ２を拡大して示している。この変形例では、第５レンズ３２５（第２接合レンズ素子３２０ｂ）に突出部３５６が設けられ、第６レンズ３２６（第１接合レンズ素子３２０ａ）に接着剤溜まり部３６６が設けられている。
【００６４】
上述の実施形態と同様に、第５レンズ３２５（第２接合レンズ素子３２０ｂ）の像側凹状レンズ面３５３と第６レンズ３２６（第１接合レンズ素子３２０ａ）の物体側凸状レンズ３６３との間には、一定以上の間隔Ｇａ（隙間）を有しており、その間隔Ｇａに介在する接着剤層３２９で接合されている。第５レンズ３２５の第２フランジ部３５４の当接面３５７は、第６レンズ３２６の第１フランジ部３６４の位置決め凸部３６７に当接し、第５レンズ３２５と第６レンズ３２６の光軸Ｌ方向での位置決めがなされる。
【００６５】
具体的には、接着剤層３２９は、物体側凸状レンズ面３６３と像側凹状レンズ面３５３が相対して接合しているレンズ面接合領域、接着剤溜まり部３６６に突出部３５６が嵌まっている嵌合領域、及びレンズ面接合領域と嵌合領域との中間領域（第５レンズ３２５の内側面３５８と第６レンズ３２６の内側面３６８とが対向している領域）に形成されている。
【００６６】
凹状である接着剤溜まり部３６６において外側の傾斜面は対向部３６６ａであり、突出部３５６の外側の側面３５６ａと対向する。突出部３５６の外側の側面３５６ａと対向部３６６ａとの間には隙間（間隔Ｇｂ）が存在する。
【００６７】
また、突出部３５６（接着剤溜まり部３６６）よりも径方向内側である内側面３５８（一方側内側面）と、対向部３６６ａである接着剤溜まり部３６６よりも内側の内側面３６８（他方側内側面）との間には、一定以上の間隔Ｇｃ（隙間）を有している。
【００６８】
また、内側面３５８と像側凹状レンズ面３５３との境界部分である凸部３５９と、内側面３６８と物体側凸状レンズ面３６３との境界部分である凹部３６９との間には、一定以上の間隔Ｇｄ（隙間）を有している。
【００６９】
この場合でも、間隔Ｇａと間隔Ｇｂは、関係式Ｇｂ＜Ｇａを満たしている。また、間隔Ｇａ、Ｇｃ、Ｇｄは、関係式Ｇａ＜Ｇｄ＜Ｇｃを満たしている。その結果、上述の実施形態や変形例１と同様の効果が得られる。
【００７０】
なお、上述の実施形態や変形例１、２では、第１フランジ部２６４、３６４に位置決め凸部２５７、３５７が形成されているが、第２フランジ部２５４、３５４に位置決め凸部が形成されていてもよい。
【符号の説明】
【００７１】
１  レンズユニット
２  広角レンズ
３  鏡筒
５  Ｏリング
２０、３２０  接合レンズ
２０ａ、３２０ａ  第１接合レンズ素子
２０ｂ、３２０ｂ  第２接合レンズ素子
２１  第１レンズ
２２  第２レンズ
２３  第３レンズ
２４  第４レンズ
２５、３２５  第５レンズ
２５ａ  平坦部
２６、３２６  第６レンズ
２９、３２９  接着剤層
３１  配置部
２５１、２６１  物体側面
２５２、２６２  像側面
２５３、３５３  像側凹状レンズ面
２５４、３５４  第２フランジ部
２５５  物体側凹状レンズ面
２５６、３６６  接着剤溜まり部
２５６ａ、２５６ａ１、３６６ａ  対向部
２５７、３５７  当接面
２５８、２６８、３５８、３６８  内側面
２５９、３５９  凸部
２６３、３６３  物体側凸状レンズ面
２６４、３６４  第１フランジ部
２６５  像側凸状レンズ面
２６６、２６６Ｘ、３５６  突出部
２６６ａ、２６６ａ１、３５６ａ  側面
２６７、３６７  位置決め凸部
２６９、３６９  凹部
Ｌ  光軸
Ｌ１  物体側
Ｌ２  像側
【図１】
2020034675.tif 000003
【図２】
2020034675.tif 000004
【図３】
2020034675.tif 000005
【図４】
2020034675.tif 000006
【図５】
2020034675.tif 000007
【図６】
2020034675.tif 000008
【図７】
2020034675.tif 000009